(57)【特許請求の範囲】
【請求項１】
支持部材を屋根面の傾斜に沿って複数本平行に設置し、左右に隣り合う前記支持部材間に屋根材を配設する共に、前記支持部材及び前記屋根材の側縁を覆う桟カバーを被着してなる外装構造において
前記桟カバーは、化粧部材と、該化粧部材の内側に沿設する補強部及び流れ方向水下端端部から延出する取付部を備える取付部材と、からなり、該取付部材は、前記化粧部材の左右の側縁の下端を内面側に向けて折り返して形成される連結受部に嵌装して前記化粧部材の内面に一体的に取り付けられる脚片である連結部を有し、前記取付部を流れ方向に隣接する桟カバーの化粧部材が重合するように前記支持部材に取り付けてなることを特徴とする外装構造。
【請求項２】
取付部材の連結部には化粧部材の水下端が係止する係止部が設けられていることを特徴とする請求項１に記載の外装構造。
【請求項３】
支持部材は、上方へ起立する爪片を有し、該爪片に対し、屋根材又は桟カバーに設けた孔を挿通させて取り付けていることを特徴とする請求項１又は２に記載の外装構造。
【請求項４】
支持部材を屋根面の傾斜に沿って複数本平行に設置し、左右に隣り合う前記支持部材間に屋根材を配設する共に、前記支持部材及び前記屋根材の側縁を覆う桟カバーを被着してなる外装構造を施工する施工方法であって、
前記桟カバーは、化粧部材と、該化粧部材の内側に沿設される補強部及び水下端から延出する取付部を備える取付部材と、からなり、該取付部材は、前記化粧部材の左右の側縁の下端を内面側に向けて折り返して形成される連結受部に嵌装する脚片である連結部を有し、前記取付部を流れ方向に隣接する桟カバーの化粧部材が重合するように前記支持部材に取り付けてなり、
予め桟カバーを、前記化粧部材の内面側に、前記取付部材を一体的に取り付けて形成しておき、
支持部材を屋根面の傾斜に沿って複数本平行に設置する第１の工程と、
左右に隣り合う前記支持部材間に前記屋根材を配設する第２の工程と、
前記桟カバーを、前記支持部材及び前記屋根材の側縁を覆うように棟側から軒側へ被着する第３の工程と、
これらの第１から第２、第３の工程を棟側から軒側へ繰り返して行うことを特徴とする外装構造の施工方法。
【発明の詳細な説明】
【技術分野】
【０００１】
本発明は、例えば大型建築物や住宅等の屋根を簡易に施工でき、また、使用する部材を減少させて部材管理や部材の運搬を容易にし、施工現場での作業者の安全性や部材の飛散を防ぐことができる外装構造、及びその施工方法に関する。
【背景技術】
【０００２】
従来、本出願人は建築物の屋根に関する種々の提案を行っている。
例えば特許文献１に記載の建築物の屋根は、垂木の上面に吊子部材を配設し、更にその上面にバックアップ材を介装して瓦棒カバーを配設した構造であり、垂木間に屋根材を配設する構造などは、前記特許文献１と同様であった。
【先行技術文献】
【特許文献】
【０００３】
【特許文献１】特許第２５３４１７８号公報
【発明の概要】
【発明が解決しようとする課題】
【０００４】
しかし、前記特許文献１の屋根は、瓦棒カバーが長さ方向に設けられた折り返し部により係止されているため、施工後の取付強度は高いが、瓦棒カバーの内面側に、軽量であるバックアップ材を押さえ保持する構造であるため、押さえ保持する以前の、例えば施工時などに屋根上に置いておくと、このバックアップ材が飛散する恐れがあった。また、このようなバックアップ材は、屋根材やその他の部材のように重ね置きができないため、置き場のスペースを確保しなければならないといった問題もあった。そのため、この屋根の施工は、特に風の強い日などを避けることが好ましいという問題があった。
更に、瓦棒カバーを係合によって取り付ける場合には、成形誤差や運搬時に変形等があった場合に取付が行えなくなる恐れがあり、様々な配慮が必要であった。
【０００５】
そこで、本発明は、例えば大型建築物や住宅等の屋根を簡易に施工でき、また、使用する部材を減少させて部材管理や部材の運搬を容易にし、施工現場での作業者の安全性や部材の飛散を防ぐことができる外装構造、及びその施工方法を提供することを目的とする。
【課題を解決するための手段】
【０００６】
本発明は、上記に鑑み提案されたものであって、支持部材を屋根面の傾斜に沿って複数本平行に設置し、左右に隣り合う前記支持部材間に屋根材を配設する共に、前記支持部材及び前記屋根材の側縁を覆う桟カバーを被着してなる外装構造において、前記桟カバーは、化粧部材と、該化粧部材の内側に沿設される補強部及び水下端から延出する取付部を備える取付部材と、からなり、該取付部材は、前記化粧部材の左右の側縁の下端を内面側に向けて折り返して形成される連結受部に嵌装して前記化粧部材の内面に一体的に取り付けられる脚片である連結部を有し、前記取付部を流れ方向に隣接する桟カバーの化粧部材が重合するように前記支持部材に取り付けてなることを特徴とする外装構造に関するものである。
【０００７】
また、本発明は、前記外装構造において、取付部材の連結部には化粧部材の水下端が係止する係止部が設けられていることを特徴とする外装構造をも提案する。
【０００８】
また、本発明は、前記外装構造において、支持部材は、上方へ起立する爪片を有し、該爪片に対し、屋根材又は桟カバーに設けた孔を挿通させて取り付けていることを特徴とする外装構造をも提案する。
【０００９】
さらに、本発明は、支持部材を屋根面の傾斜に沿って複数本平行に設置し、左右に隣り合う前記支持部材間に屋根材を配設する共に、前記支持部材及び前記屋根材の側縁を覆う桟カバーを被着してなる外装構造を施工する施工方法であって、前記桟カバーは、化粧部材と、該化粧部材の内側に沿設される補強部及び水下端から延出する取付部を備える取付部材と、からなり、該取付部材は、前記化粧部材の左右の側縁の下端を内面側に向けて折り返して形成される連結受部に嵌装する脚片である連結部を有し、前記取付部を流れ方向に隣接する桟カバーの化粧部材が重合するように前記支持部材に取り付けてなり、予め桟カバーを、前記化粧部材の内面側に、前記取付部材を一体的に取り付けて形成しておき、支持部材を屋根面の傾斜に沿って複数本平行に設置する第１の工程と、左右に隣り合う前記支持部材間に前記屋根材を配設する第２の工程と、前記桟カバーを、前記支持部材及び前記屋根材の側縁を覆うように棟側から軒側へ被着する第３の工程と、これらの第１から第２、第３の工程を棟側から軒側へ繰り返して行うことを特徴とする外装構造の施工方法をも提案するものである。
【発明の効果】
【００１０】
本発明の外装構造は、桟カバーの内面側に、一体的に取り付けた化粧部材の変形を防止する補強部及び連結部が、桟カバーを支持部材に強固に取り付ける役割を果たすため、別途部材を必要とすることがなく、使用する部品点数が少なく、特に施工時に物品を飛散させることなく、桟カバーを容易に且つ強固に取り付けることができる。その結果、大型建築物や住宅棟の屋根を釘等をほとんど使用することなく簡単に施工できる。
【００１１】
また、取付部材の連結部には化粧部材の水下端が係止する係止部が設けられている場合には、水下側から取付部材をスライドさせて取り付けることができ、しかも桟カバーがずれ落ちることがなく、ビスや釘等の固着具を使用することなく容易に且つ強固に連結することができる。
【００１２】
また、支持部材が、上方へ起立する爪片を有し、該爪片に対し、屋根材又は取付部材に設けた孔を挿通させて取り付けている場合には、例えば流れ方向に隣接する屋根材を重合させて配設することも容易に行うことができ、また、この場合もビスや釘等の固着具を使用することなく爪片を倒して容易に且つ強固に屋根材又は取付部材を取り付けることができる。
【００１３】
さらに、建築物の屋根の施工方法は、第１から第２，第３の工程の何れも容易に行うことができ、実用的価値が極めて高い施工法である。
【図面の簡単な説明】
【００１４】
【図１】（ａ）本発明の建築物の屋根（第１実施例）の施工手順を示し、桟カバーの内面に取付部材を一体的に取り付けた状態を示す正面図、（ｂ）その側断面図、（ｃ）桟カバーへ取付部材を取り付ける操作を示す側断面図、（ｄ）屋根面に設置した支持部材に屋根材を取り付けた状態を示す断面図、（ｅ）取付部材を一体化した桟カバーを上段（水上側）の桟カバーに取り付ける操作を示す側断面図、（ｆ）その正面図、（ｇ）取付部材の孔に挿通した爪を倒す状態を示す側断面図、（ｈ）施工後の正面図である。
【図２】（ａ）第１実施例の屋根に用いた取付部材の拡大斜視図、（ｂ）その拡大平面図、（ｃ）その拡大側面図、（ｄ）その拡大正面図、（ｅ）軒端用取付部材の拡大斜視図、（ｆ）その拡大平面図、（ｇ）その拡大側面図、（ｈ）その拡大正面図である。
【図３】（ａ）桟カバーの拡大側面図、（ｂ）その拡大正面図、（ｃ）屋根材の拡大正面図、（ｄ）支持部材の拡大正面図である。
【図４】（ａ）第１実施例の屋根を示す平面図（ただし、桟カバーを意図的に省略している）、（ｂ）その側面図、（ｃ）桟カバーを意図的に省略した側面図、（ｄ）その正面図である。
【発明を実施するための形態】
【００１５】
本発明の建築物の屋根は、支持部材を屋根面の傾斜に沿って複数本平行に設置し、左右に隣り合う前記支持部材間に屋根材を配設する共に、前記支持部材及び前記屋根材の側縁を覆う桟カバーを被着してなる外装構造において、前記カバーは、化粧部材と、化粧部材の内側に沿設される補強部及び水下端から延出する取付部を備える取付部材と、からなり、該取付部材は、前記化粧部材の左右の側縁の下端を内面側に向けて折り返して形成される連結受部に嵌装して前記化粧部材の内面に一体的に取り付けられる脚片である連結部を有し、前記取付部を流れ方向に隣接する桟カバーの化粧面部が重合するように前記支持部材に取り付けてなることを特徴とする構成である。
【００１６】
本発明の屋根は、以下にそれぞれ示す〔１〕支持部材と、〔２〕屋根材と、〔３〕桟カバーとからなる。
【００１７】
〔１〕支持部材
この支持部材は、屋根面の傾斜に沿って複数本平行に設置されるものであって、特にその形状や詳細な構成を限定するものではない。例えば後述する図示実施例のように底部の両側縁から斜め上方に左右側面が立ち上がる樋状部材（排水部材）の連続材（通し吊子）でもよいし、所定長さの定尺材を連結した構成でもよく、特にこの構成に限定するものではない。
【００１８】
この支持部材が，後述する図示実施例のように排水部材を兼ねる場合には、屋根面への固定は、底部から隆起する部分を固着具を打ち込む固定部とすればよく、またこの支持部材に対し、排水部から左右の外方へ延在させた側縁に固定（接続）すればよい。
この支持部材の左右の側縁には、後述する屋根材や桟カバーを重合させた状態で上方からビスや釘を打ち込んで固定してもよいが、予め上方へ突出状の規制片などを形成しておき、該規制片などに後述する屋根材又は取付部材に設けた孔を挿通させて取り付けるようにしてもよい。なお、上方へ突出状の規制片などを形成する構成としては、例えば後述する図示実施例のように金属板材をプレス加工等によって切り起こして形成すればよく、孔に挿通した後には倒して固定することができる。
【００１９】
〔２〕屋根材
この屋根材は、左右に隣接する前記支持部材間に配設され、その上面に固定されるものであって、特にその形状や詳細な構成を限定するものではなく、後述する図示実施例のように幅方向において下向き凸状に緩く湾曲する瓦状の板材に限定されるものではない。
この屋根材の左右の側縁には、前記支持部材の上面に固定されるための構成を設けることが好ましく、例えば前述のように前記支持部材に上方へ突出状の規制片などを設ける場合には、該規制片が挿通する孔をこの屋根材に設けることにより、容易にこの屋根材を前記支持部材に取り付けることができる。
なお、前記支持部材は、前述のように屋根面の傾斜に沿って設置（固定）されているので、この屋根材を前記支持部材に取り付けることは、この屋根材が屋根面に取り付けることになる。また、前記規制片が挿通する孔を、例えば屋根材の水上端及び水下端に設けた場合には、規制片に孔を挿通するように配するだけで、流れ方向に隣接する屋根材の水上端と水下端とを重合させて適正位置に取り付けることができる。
【００２０】
〔３〕桟カバー
この桟カバーは、〔３Ａ〕化粧部材と、該化粧部材の内側に沿設する補強部と流れ方向端部から延出する取付部からなる〔３Ｂ〕取付部材とで構成される。
【００２１】
〔３Ａ〕化粧部材
桟カバーは、前述のように化粧部材の内面に前記取付部材が位置して一体化している構成であって、この化粧部材は、後述する図示実施例のように断面が略円弧状に成形された本体の左右の側縁（下端）に前記取付部材を一体的に取り付ける連結受部を具備する構成に限定されるものではない。即ち後述する図示実施例では、本体（化粧面部）の左右の下端に内面側に向けて折返して形成した溝状部を前記連結受部として設け、該溝状部に前記取付部材の脚片を嵌装させ、該脚片には形成した係止部に、この桟カバーの水下端を係止する構成等を挙げることができるが、特にこの構成に限定するものではない。
【００２２】
〔３Ｂ〕取付部材
この取付部材は、その〔補強部〕が、桟カバーの化粧面部の変形を防止する変形防止材（前記特許文献２ではバックアップ材）の役割を果たす上、その〔取付部〕が、桟カバーを支持部材に強固に取り付けるための連結部材（前記特許文献２では吊子部材）の役割をも果たすものである。さらに、この取付部材には、化粧部材の内面に一体的に取り付けられるための〔連結部〕を有することが望ましい。
【００２３】
〔補強部〕
また、この取付部材の化粧部材の内側に沿設する補強部とは、後述する図示実施例のように略円弧状に成形された化粧部材の内面に近接する略円弧状部分でもよいし、使用する化粧部材の形状に応じて適宜に変更すればよい。さらに、幅方向、流れ方向の全域であっても、部分的であってもよいが、化粧部材同士の流れ方向の重合（差込）や、化粧部材と取付部材の組み付けに干渉しないものであれば、いかなる形状（沿設、当接）であってもよい。
【００２４】
〔取付部〕
また、この取付部材の取付部とは、前述のように流れ方向端部から延出する部分を指すものであって、後述する図示実施例では、横片状の部分（３４）を「取付部」としているが、本質的には、化粧部材の水下側に露出している部分を指す。
この取付部としては、単に流れ方向端部から延出しているだけではなく、当該桟カバーが支持部材に取り付けられる構成であることは勿論、流れ方向に隣接する桟カバーも共に前記支持部材に取り付けられる構成であれば、特にその具体的構成を限定するものではない。例えば前述のように前記支持部材に上方へ突出状の規制片などを設ける場合には、後述する図示実施例に示すように前記規制片などが挿通する孔をこの取付部材に設けることにより、容易にこの取付部材を前記支持部材に取り付け、流れ方向に隣接する桟カバーも共に前記支持部材に取り付けることができる。尤も、この規制片などは単に一例に過ぎないので、それ以外のどのような構成を採用してもよい。
【００２５】
〔連結部〕
この取付部材の化粧部材の内面に一体的に取り付けられるための連結部とは、例えば後述する図示実施例のように取付部材に脚片を設け、該脚片が化粧部材の左右の下端に内面側に向けて折返して形成した溝状部に嵌装するものとし、該脚片には化粧部材の水下端が係止する係止部を設ける構成等を挙げることができるが、特にこの構成に限定されるものではない。
【００２６】
なお、この取付部材は、後述する図示実施例のように配設後には複数の（水流れ方向に隣接する）桟カバーの内面に跨がって配設されることが好ましいが、最も水下側に位置する軒先用桟カバーではその限りではない。
【００２７】
これらの各部材から構成される本発明の屋根は、以下の示す手順（第１の工程〜第３の工程）を適宜に繰り返して行うことにより、施工することができる。
なお、以下の手順（第１の工程〜第３の工程）に先立って、予め化粧部材の内面側に取付部材を一体的に取り付けて桟カバーを形成しておく。
【００２８】
・第１の工程
この第１の工程では、前記支持部材を屋根面の傾斜に沿って複数本平行に設置（固定）する。この固定は、どのような固定具を用いて行ってもよく、特に限定されるものではない。
【００２９】
・第２の工程
この第２の工程では、左右に隣り合う前記支持部材間に前記屋根材を配設し、その左右側縁を各支持部材の上面に固定する。この固定に関しては、前述のようにビスや釘等の固定具を打ち込んで固定してもよいが、前記支持部材として、上方へ起立する規制片などを有する構成を採用した場合には、該規制片に対して挿通可能な孔を予め屋根材に開設することにより、支持部材の規制片に屋根材の孔を挿通させて倒し込むといった簡単な処理にて固定具の使用を避けることも可能である。
【００３０】
・第３の工程
この第３の工程では、前記桟カバーを、前記支持部材に被着する。この被着に関しては、前述のようにビスや釘等の固定具を打ち込んで固定してもよいが、前記支持部材として、上方へ起立する規制片などを有する構成を採用した場合には、該規制片に対して挿通可能な孔を予め取付部材に開設することにより、支持部材の規制片に取付部材の孔を挿通させて倒し込むといった簡単な処理にて固定具の使用を避けることも可能である。
【００３１】
このように施工された本発明の建築物の屋根は、桟カバーの内面側に一体的に取り付けた化粧面部の変形を防止する取付部材が、桟カバーを支持部材に強固に取り付ける役割を果たすため、別途部材を必要とすることがなく、使用する部品点数が少なく、特に桟カバーを容易に且つ強固に取り付けることができる。
【実施例】
【００３２】
図１に示す第１実施例の建築物の屋根は、支持部材１を屋根面の傾斜に沿って複数本平行に設置し、左右に隣り合う前記支持部材１，１間に屋根材２を配設する共に、前記支持部材１及び前記屋根材２の側縁を覆う桟カバー３を被着してなる構成である。
【００３３】
前記支持部材１は、図４（ａ）では一本しか配していないが、屋根面の傾斜に沿って複数本平行に設置されるものであり、この第１実施例では図３（ｄ）に拡大して示すように底部１１の両側縁から斜め上方に左右側面１２，１２が立ち上がる樋状部材（排水部材）の連続材（通し吊子）である。
また、この支持部材１は、前記側面１２，１２の上端から、それぞれ内側やや下方へ延在する受片部１３，１３が設けられ、これらの受片部１３，１３の先端を下方へ折り下げて水返し部１４が形成され、更にこの受片部１３の略中央には略垂直状の縦片である爪片１５が規制片として立設されている。加えて、前記底部１１の略中央には、隆状に固定部１１１が設けられている。なお、前記爪片１５は、受片部１３に切り起こしにて形成したが、溶接等にて設けてもよい。
【００３４】
前記屋根材２は、図４（ａ）に示すように左右に隣接する前記支持部材１，１間に配設され、その上面に固定されるものであり、この第１実施例では図３（ｃ）に拡大して示すように幅方向において下向き凸状に緩く湾曲する面板部２１を有する瓦状の板材である。
また、この屋根材２の面板部２１の左右の側縁には、それぞれ外側やや下方へ延在する側縁部２２，２２が設けられ、これらの側縁部２２，２２の外側端縁を下方へ折り下げて案内片２３が形成されている。更に前記面板部２１には、中程から水下端まで断面半円状の≡状部２１１が図４（ａ）に示すように五条ずつ設けられ、前記側縁部２２の幅方向の略中央には、長さ方向に複数の矩形状の孔２２１が設けられている。なお、この孔２２１は、図示するように側縁部２２の長さ方向（流れ方向）の水上端（２２１ａ）と、略中央（２２１ｂ）と、水下端（２２１ｃ）との三箇所（左右では合計六箇所）である。
【００３５】
前記桟カバー３は、化粧部材３Ａと、該化粧部材３Ａの内側に沿設する補強部３２と流れ方向端部から延出する取付部３３〜３５からなる取付部材３Ｂからなり、より具体的には、化粧部材３Ａの内面に取付部材３Ｂが位置して一体化している構成である。
【００３６】
この第１実施例の化粧部材３Ａは、図３（ａ），（ｂ）に拡大して示すように断面が略円弧状に成形された本体（化粧面部）の水下側（図３（ａ）では左側）の左右の側縁（下端）を内面側に向けて折返して溝状部である略平行状の連結受部３１ａ，３１ａが設けられ、この連結受部３１ａ，３１ａの水上側に、水上側へ向かって下り傾斜する溝状部である連結受部３１ｂ，３１ｂが設けられている。なお、本体の水下端を内側に折り返した折返し部３６が設けられている。
【００３７】
なお、この第１実施例では、図４（ｂ）に示すように最も水下側には、通常の桟カバー３（化粧部材３Ａ）に比べて短い軒先用桟カバー４（化粧部材４Ａ）を用いている。この軒先用化粧部材４Ａは、それ以上に水下側に隣接する桟カバーが存在しないため、通常の化粧部材３Ａにおける前記略平行状の溝状部（連結受部３１ａ）が形成されない以外は、基本的な構成は通常の桟カバー３（化粧部材３Ａ）と同様である。
【００３８】
前記取付部材３Ｂは、化粧部材３Ａの内面に位置して一体化し、化粧部材３Ａの変形を防止する変形防止材の役割を果たす上、桟カバー３を支持部材１に強固に取り付けるための連結部材の役割をも果たす。即ちこの取付部材３Ｂは、図２（ａ）〜（ｄ）に拡大して示すように化粧部材の内側に沿設する補強部３２（３２ａ，３２ｂ）と流れ方向端部から延出する取付部３３〜３５からなる。
なお、前述のように本発明における「取付部」としては、「流れ方向端部から延出する部分」と規定したので、図示部分としては符号３３〜３５が相当する。
しかし、より具体的に説明するために、前記支持部材１に被着する横片のみを「取付部３４」とし、前記化粧部材３Ａの内面に一体的に取り付けられるための構成を「連結部３５」として説明する。
【００３９】
この取付部材３Ｂの前記補強部３２とは、断面が略円弧状に成形された化粧部材３Ａの内面に近接する断面略円弧状部分であって、この第１実施例では、水上端から長さ方向の中程まで延在する部分３２ａを指す。なお、水下端付近に形成される断面略円弧状部分は、配設後に水下側の桟カバー３の内面に位置して変形を防止する部分であり、この部分も変形防止部として図面に３２ｂを付した。
【００４０】
また、この取付部材３Ｂの前記取付部３４とは、前記補強部３２ａ，３２ｂの左右側縁を略垂直状に折り下げた縦片部３３ａ，３３ｂの下端をそれぞれ外側へ略水平状に延在させた横片部分を指し、配設時に前記支持部材１の受片部１３に載置状に取り付けられる部分である。この取付部３４には、長方形状の孔３４１が設けられている。この孔３４１は、図２（ａ），（ｂ）に示すように長さ方向（流れ方向）のやや水下側に形成されているため、図１（ｂ），（ｅ）に示すように桟カバー３と一体化した状態でも化粧部材３Ａの水下側に露出している。そして、前述のように前記支持部材１の受片部１３には、上方へ起立する爪片１５が設けられているので、この爪片１５が挿通する前記孔３４１が文言的には取付部であるが、前述のように「載置状に取り付けられる」部分を「取付部」としたので、横片部分全体を取付部３４として説明する。
なお、この取付部３４には、この取付部材３Ｂ自体を強度を保持するための補強隆状部３４２が長さ方向に三箇所設けられ、前記支持部材１の受片部１３に安定に取り付けることができる。
【００４１】
また、この取付部材３Ｂの前記連結部３５とは、前記取付部３４の側縁を更に折り下げた脚片を指し、この脚片の下端であって、この第１実施例では、水上端から長さ方向の中程まで延在する下端３５１を指す。なお、水下端付近に形成される傾斜状の下端３５２は、配設後に水下側の化粧部材３Ａの内面に一体的に取り付けられる連結部分である。そして、この取付部材３Ｂの連結部である下端３５１は、配設に先立って前記桟カバー３と一体化させる際に、前記桟カバー３の連結受部３１ａに嵌装するものであり、前記傾斜状の下端３５２は、配設後に水下側の桟カバー３の傾斜状の連結受部３１ｂに嵌装するものである。
なお、この脚片３５には、化粧部材３Ａと一体化させる際に、化粧部材３Ａの水下端が係止する係止部３５３を内面側に突出するように設けている。
【００４２】
なお、この取付部材３Ｂは、配設後には複数の（水流れ方向に隣接する）桟カバー３，３の内面に跨って配設される構成であり、配設以前には、前記化粧部材３Ａの水下側に露出する部分を有する構成である。
これに対し、最も水下端（軒先）に配設される軒先用桟カバー４は、それ以上に水下側に隣接する桟カバーが存在しないため、図４（ａ），（ｃ）に示すように通常の桟カバー３に比べて短く、その内面に一体的に取り付けられる軒先用取付部材４Ｂには、本質的には「流れ方向端部から延出する取付部」が存在しない分だけ短く形成され、通常の取付部材３Ｂに比べて脚片４５に略平行状の下端（３５１）も係止部（３５３）も設けない以外は、通常の取付部材３Ｂと同様である。
【００４３】
これらの各部材１，２，３，４から構成される本発明の屋根は、以下の示す手順（第１の工程〜第３の工程）を適宜に繰り返して行うことにより、施工することができる。
なお、以下の手順（第１の工程〜第３の工程）に先立って、予め化粧面材３Ａの内面側に取付部材３Ｂを一体的に取り付けて桟カバー３を形成しておく。
【００４４】
・桟カバー３の一体化工程
化粧部材３Ａの内面側に取付部材３Ｂを一体的に取り付ける操作は、図１（ｃ）に示す方法にて行う。
即ち化粧部材３Ａの水下側（同図では左側）に取付部材３Ｂを臨ませ、矢印にて示すように取付部材３Ｂを化粧部材３Ａの水下側から挿入するように配設する。その際、化粧部材３Ａの溝状部である連結受部３１（３１ａ）に対し、取付部材３Ｂの脚片（連結部）３５の下端３５１を嵌装させつつスライドさせ、桟カバー３の水下端を、取付部材３Ｂの脚片３５に形成した係止部３５３に係止させる。この係止部３５３の存在により、取付部材３Ｂを過剰に挿入することなく適正位置に配設、一体化させることができる。
【００４５】
・第１の工程
この工程では、前記構成の支持部材１を屋根面の傾斜、即ち水流れ方向に沿って複数本平行に設置（固定）する。この第１実施例では、図３（ｄ）に拡大して示すように支持部材１の底部に隆状の固定部１１１を設けたので、該固定部１１１に固着具（図中には一点鎖線にて示した）を打ち込んで固定する。
【００４６】
・第２の工程
この工程では、左右に隣り合う前記支持部材１，１間に前記構成の屋根材２を配設し、その左右側縁２２を各支持部材１に固定する。この第１実施例では、図１（ｄ）に示すように支持部材１に上方へ起立する爪片１５を有する構成を採用し、予め屋根材２に前記孔２２１ａ，２２１ｂ，２１１ｃを開設したので、これらの孔２２１をそれぞれ爪片１５に挿通させて取り付けることにより、極めて容易に適正位置に屋根材２を配設することができる。
【００４７】
なお、流れ方向に隣接する屋根材２，２は、図４（ａ）に示すように水上側に既に配設された屋根材２の水下端に、その水下側に配する屋根材２の水上端を重合させて配設するのであるが、特に困難な作業ではなく、容易に所定位置に配することができる。即ち一つの爪片１５に水上側の屋根材２の水下端の孔２２１ｃと水下側の屋根材２の水上端の孔２２１ａとを挿通させればよいだけであるから、配設（位置決め）は容易であり、爪片１５を倒し込むことにより、容易に屋根材３を取り付けることができる。この爪片１５を倒し込んだ状態については、図１（ｅ）に示すように符号１５"にて示している。但し、この第２の工程の時点では、水上端の孔２２１ａを除く孔２２１ｂ，２１１ｃを挿通させた爪片１５，１５は倒し込まない。
【００４８】
・第３の工程
この工程では、前記桟カバー３を、前記支持部材１及び前記屋根材２の側縁を覆うように被着する。この第１実施例では、図１（ｅ）に示すように支持部材１に爪片１５を有する構成を採用したので、斜線ハッチング矢印にて示すように該爪片１５に対して挿通可能な孔４３１を予め取付部材３Ｂに開設することにより、支持部材１の爪片１５に取付部材３Ｂの孔４３１を挿通させて倒し込むといった簡単な処理にてビスや釘等の固定具を用いることなく桟カバー３を容易に取り付けることができる。ここで使用する爪片１５は、図４（ａ）に示すように屋根材２の長さ方向（流れ方向）の略中央に設けた孔２２１ｂが既に挿通されている。なお、桟カバー３の配設に際し、桟カバー３の水上端を、その水上側に隣接して取り付けた桟カバー３の水下側上方から臨ませ、クロスハッチング矢印にて示すように、水上側の桟カバー３の水下端の内面側に挿入する操作を同時に行う。
そして、桟カバー３の水上端を、その水上側に隣接する桟カバー３の水下端の内側に挿入しつつ、支持部材１の爪片１５に取付部材３Ｂの孔４３１を挿通させて取り付ける操作を行って支持部材１及び屋根材２の上面に桟カバー３（取付部材３Ｂ）が仮止めされた図１（ｆ）の状態を得る。
【００４９】
その後、図１（ｇ）に示すように取付部材３Ｂの孔４３１を挿通させた爪片１５を斜線ハッチング矢印にて示すように倒し込んだ状態１５"とし、屋根面に固定された支持部材１に対し、屋根材２，及び桟カバー３（取付部材３Ｂ）が一体的に固定された図１（ｈ）に示す状態を得る。
【００５０】
なお、最も水下側に配設する軒先用桟カバー４では、予め軒先用化粧部材４Ａと軒先用取付部材４Ｂとを一体化する必要はなく、図４（ａ）に示すように軒先用取付部材４Ｂのみを支持部材１及び屋根材２の側縁に覆うように取り付けた後、軒先用化粧部材４Ａを取り付けるようにしてもよい。
その際の軒先用取付部材４Ｂの取り付けについては、前記第３の工程における通常の桟カバー３（取付部材３Ｂ）の取り付けと同様である。また、軒先用化粧部材４Ａの取り付けについては、前記桟カバー３の一体化工程における通常の化粧部材３Ａの取り付けと同様である。
【００５１】
このように施工された本発明の建築物の屋根は、最終的に図１（ｈ）や図４に示す状態となるが、桟カバー３の内面側に一体的に取り付けた化粧部材３Ａの変形を防止する取付部材３Ｂが、桟カバー３を支持部材１に強固に取り付ける役割を果たすため、別途部材を必要とすることがなく、使用する部品点数が少なく、特に施工時に物品を飛散させることなく、桟カバー３を容易に且つ強固に取り付けることができる。そのため、大型建築物や住宅棟の屋根を釘等をほとんど使用することなく簡単に施工できる。
【００５２】
また、前記第１実施例では、支持部材１が、上方へ起立する爪片１５を有し、該爪片１５に対し、屋根材２又は取付部材３Ｂに設けた孔２２１，３４１を挿通させて取り付ける構成を採用した。そのため、流れ方向に隣接する屋根材２，２を重合させて配設することも容易に行うことができる。
図４（ａ）に示すように水上側の屋根材２の水下端の孔２２１ｃと水下側の屋根材２の水上端の孔２２１ａとを一つの爪片１５に挿通させるだけで、ビスや釘等の固着具を使用することなく爪片１５を倒して容易に且つ強固に固定することができる。この爪片１５は、屋根材２の水上端及び水下端に位置するものであり、符号２２１ａと２２１ｃとを並べて記載しているのはそういう理由である。なお、爪片１５は、図４（ｄ）に破線にて示す位置に形成されるが、図４（ａ）などには煩雑さを招くため省略した。
また、屋根材２の中央に位置する爪片１５には、屋根材２ばかりでなく、取付部材３Ｂ（即ち桟カバー３）の孔３４１をも挿通して取り付けるが、符号２２１ｂと３４１とを並べて記載しているのはそういう理由である。
なお、最も水下側（図面では右側）に位置する爪片１５には、屋根材２の水下端に位置する孔２２１ｃと軒先取付部材４Ｂに設けた孔４４１が挿通する。
【００５３】
また、前記第１実施例では、取付部材３Ｂが、桟カバー３の左右に設けた溝状部（連結受部３１）に嵌装する脚片３５（下端３５１）を有し、該脚片３５には桟カバー３の水下端が係止する係止部３５３が設けられているので、前述のように水下側から取付部材３Ｂをスライドさせて取り付けることができ、しかも桟カバー３がずれ落ちることがなく、またこの場合もビスや釘等の固着具を使用することなく容易に且つ強固に連結することができる。
【００５４】
更に、本発明の建築物の屋根の施工法は、前述のように第１から第２，第３の工程の何れも容易に行うことができ、実用的価値が極めて高い施工法である。
【符号の説明】
【００５５】
１  支持部材
１１  底部
１１１  固定部
１２  側面
１３  受片部
１４  水返し部
１５  爪片
２  屋根材
２１  面板部
２１１  ≡状部
２２  側縁部
２２１  孔
２２１ａ  水上端
２２１ｂ  略中央
２２１ｃ  水下端
２３  案内片
３  桟カバー
３Ａ  化粧部材
３Ｂ  取付部材
３１ａ  連結受部（水平状）
３１ｂ  連結受部（傾斜状）
３２（３２ａ）  補強部
３２ｂ  （水下側の桟カバー用）補強部
３３ａ  縦片部（３１ａの下方に延在）
３３ｂ  縦片部（３１ｂの下方に延在）
３４  取付部
３４１  孔
３５  連結部（脚片）
３５１  下端（水平状）
３５２  下端（傾斜状）
３５３  係止部
４  軒先用桟カバー
４Ａ  軒先用化粧部材
４Ｂ  軒先用取付部材
４２  補強部
４３  縦片部
４４  取付部
４４１  孔
４５  脚片
【図１】
0006504767.tif 000002
【図２】
0006504767.tif 000003
【図３】
0006504767.tif 000004
【図４】
0006504767.tif 000005